(57)【要約】【課題】単信通信において、録音開始するタイミングをつかむことができ、適切なタイミングで録音することのできる無線通信機を提供する。【解決手段】呼出側の無線通信機からの通話内容を受信する受信部と、受信した通話内容を録音する録音部と、録音部における録音時間又は録音データ量を計測する計測部と、制御部とを備えた無線通信機を、呼出側の無線通信機からの信号を一方的に受信する単信通信状態において、受信信号がアイドル状態からビジー状態になると録音部の録音動作を開始して受信部で受信した受信信号を録音部に録音するとともに、計測部の録音時間計測動作又は録音データ量計測動作を開始し、該計測した録音時間又は録音データ量が所定の値に達したとき、あるいは、受信部で受信した受信信号がビジー状態からアイドル状態になったときに、録音部の録音動作を停止するよう構成する。【選択図】  図１
2012205152.tif 000002
【特許請求の範囲】
【請求項１】
呼出側の無線通信機からの通話内容を含む信号を受信する受信部と、
前記受信部で受信した通話内容を録音する録音部と、
前記録音部における録音時間又は録音データ量を計測する計測部と、
前記受信部、前記録音部、前記計測部を制御する制御部とを備えた無線通信機であって、
前記制御部は、呼出側の無線通信機からの信号を一方的に受信する単信通信状態において、前記受信部で受信した受信信号がアイドル状態からビジー状態になると前記録音部の録音動作を開始して前記受信部で受信した受信信号を前記録音部に録音するとともに、前記計測部の録音時間計測動作又は録音データ量計測動作を開始し、該計測した録音時間又は録音データ量が所定の第１の値に達したとき、あるいは、前記受信部で受信した受信信号がビジー状態からアイドル状態になったときに、前記録音部の録音動作を停止することを特徴とする無線通信機。
【発明の詳細な説明】
【技術分野】
【０００１】
本発明は、無線通信機に関し、例えば、プレストーク通信などの単信通信を行う無線通信機における通話音声録音機能に関するものである。
【背景技術】
【０００２】
近年、地域防災における防災情報伝達の重要性がクローズアップされ、これに応じて、例えば（社）電波産業会（ＡＲＩＢ）では、標準規格ARIB STD-T79として、双方向通信を行う複信通信を用いた市町村デジタル移動通信システムと題する規格について策定している。他方、防災情報伝達用の携帯無線機としては、プレストーク通信などの単信通信を行う無線通信機も存在する。
【０００３】
このような防災情報伝達用の携帯無線機において、該携帯無線機の携帯者が呼出に応じられない場合、呼出相手からの通話音声を録音する、いわゆる伝言メモ機能が備えられている。複信通信の場合は、呼出相手からの着信に対して自動応答を行い、応答メッセージと録音開始音を呼出相手に送信した後、録音開始するようにしている。しかし、単信通信の場合は、応答メッセージや録音開始音を呼出相手に送信することはできず、呼出相手が通話してくるタイミング、すなわち録音開始するタイミングをつかむことが困難である。
【０００４】
下記の特許文献１には、パーソナル無線機が、相手側の無線機からの制御信号によって、自動的に通話チャネルに切換り、交信内容を自動的に録音して、一定時間後に録音動作を停止する技術が記載されている。
【先行技術文献】
【特許文献】
【０００５】
【特許文献１】特開昭６０‐１６２３２３公報
【発明の概要】
【発明が解決しようとする課題】
【０００６】
上述した従来の単信通信用の無線通信機においては、録音開始するタイミングをつかむことが困難であるという課題があった。
本発明は、このような従来の課題を解決するために為されたもので、単信通信において、録音開始するタイミングをつかむことができ、適切なタイミングで録音することのできる無線通信機を提供することを目的とする。
【課題を解決するための手段】
【０００７】
上記課題を解決するための、本願発明の無線通信機の代表的な構成は、次のとおりである。すなわち、
呼出側の無線通信機からの通話内容を含む信号を受信する受信部と、
前記受信部で受信した通話内容を録音する録音部と、
前記録音部における録音時間又は録音データ量を計測する計測部と、
前記受信部、前記録音部、前記計測部を制御する制御部とを備えた無線通信機であって、
前記制御部は、呼出側の無線通信機からの信号を一方的に受信する単信通信状態において、前記受信部で受信した受信信号がアイドル状態からビジー状態になると前記録音部の録音動作を開始して前記受信部で受信した受信信号を前記録音部に録音するとともに、前記計測部の録音時間計測動作又は録音データ量計測動作を開始し、該計測した録音時間又は録音データ量が所定の第１の値に達したとき、あるいは、前記受信部で受信した受信信号がビジー状態からアイドル状態になったときに、前記録音部の録音動作を停止することを特徴とする無線通信機。
【発明の効果】
【０００８】
本願発明によれば、単信通信状態の無線通信機において、適切なタイミングで録音することができる。
【図面の簡単な説明】
【０００９】
【図１】本発明の実施形態に係る無線通信機の構成を示す図である。
【図２】本発明の実施形態に係る無線通信機の録音動作を示す図である。
【発明を実施するための形態】
【００１０】
以下、本発明の実施形態について図を用いて説明する。
まず、本発明の実施形態に係る無線通信機の構成について、図１を用いて説明する。図１は、本発明の実施形態に係る無線通信機の構成を示す図である。この無線通信機は、例えば、プレストーク方式の車載無線機あるいは携帯無線機である。
【００１１】
図１に示すように、本実施形態に係る無線通信機は、他の無線通信機との送受信を行うためのアンテナ１３、送受信を切替えるための切換スイッチ１４、他の無線通信機からの通話内容を含む信号を受信する受信部１５、他の無線通信機に対し通話内容を含む信号を送信する送信部１６、他の無線通信機からの通話内容等を音声出力するスピーカ１７、操作者からの入力操作を受付ける操作部１８、受信部１５で受信した通話内容を録音する録音部２１、録音部２１における録音時間等を計測する計測部１９、操作者からの音声入力を受付けるマイク２０、制御部１１、記憶部１２を備える。操作部１８は、各種情報を表示する表示部を備えるものであってもよい。
【００１２】
制御部１１は、ＣＰＵ（Central  Processing  Unit）を備え、受信部１５、送信部１６、操作部１８、録音部２１、計測部１９など、無線通信機を構成する各構成部を制御する。
制御部１１は、呼出側の無線通信機からの信号を一方的に受信する単信通信状態において、受信部１５で受信した受信信号がアイドル状態からビジー状態になると、つまり、受信した信号が自分宛であることを認識し回線接続すると、録音部２１の録音動作を開始して受信部１５で受信した受信信号を録音部２１に録音するとともに、計測部１９の録音時間計測動作又は録音データ量計測動作を開始し、該計測した録音時間又は録音データ量が録音可能な最大値である所定の第１の値に達したとき、あるいは、受信部１５で受信した受信信号がビジー状態からアイドル状態になったときに、録音部２１の録音動作を停止する。
また、制御部１１は、録音部２１の録音動作を停止した後、録音部２１の録音時間又は録音データ量が所定の第２の値よりも小さい場合に、録音部２１に録音した録音内容を破棄するものである。
【００１３】
ここで、ビジー状態とは、単信通信状態で使用する周波数において、一定レベル以上の受信信号が存在し、受信部１５で検出される状態であり、アイドル状態とは、一定レベル以上の受信信号が存在せず、受信部１５で検出されない状態である。したがって、制御部１１は、呼出側の無線通信機からの通話信号が送信中の状態をビジー状態と判断し、呼出側の無線通信機からの通話信号が切断中の状態をアイドル状態と判断する。
【００１４】
また、単信通信状態において、呼出側が通信を切断し、呼出側の無線通信機からの通話信号が切断された直後に、切断時に発生するノイズのため、短時間、例えば１〜２秒間程度ビジー状態となり、その後、アイドル状態となる。したがって、制御部１１は、呼出側の無線通信機からの通話信号が切断された直後に録音した録音内容を破棄する、すなわち、録音時間又は録音データ量が所定の第２の値、例えば３秒間よりも小さい場合に、録音部２１に録音した録音内容を破棄するようにしている。
【００１５】
録音部２１は、制御部１１の制御に従い、受信部１５で受信した通話内容の受信信号を、録音部２１内のメモリに記憶する。このメモリは、例えば磁気テープやディスクや半導体メモリ等で構成することができる。あるいは、録音部２１は、通話内容を記憶部１２に記憶するようにすることも可能である。
計測部１９は、録音部２１における録音時間、又は録音部２１における録音データ量を計測するものである。
【００１６】
記憶部１２は、制御部１１の動作プログラム等を格納している。また、記憶部１２は、上述した第１の値と第２の値を格納している。第１の値は、計測部１９で計測した録音時間又は録音データ量が、この第１の値に達したときに、録音部２１の録音動作を停止するものである。第２の値は、録音部２１の録音動作を停止した後、録音部２１の録音時間又は録音データ量が、この第２の値よりも小さい場合に、録音部２１に録音した録音内容を破棄するものである。
【００１７】
この無線通信機の通話動作を説明する。先ず、操作部１８を操作し、例えば、テンキーで相手側の無線通信機の番号を入力し、通話ボタンを押す。上位装置より送信権が付与されれば送信状態となるので、マイク２０から入力された通話の音声信号は、制御部１１で所定の信号処理がなされた後、送信部６２に入力される。送信部６２に入力された信号は、送信のための所定の変調がなされ、所定の送信周波数に変換され、切換スイッチ１４を介してアンテナ１３から出力され、相手側の無線通信機へ送信される。
【００１８】
一方、相手側の無線通信機からの通話の送信信号は、アンテナ１３で受信され、切換スイッチ１４を介して受信部１５に入力される。受信部１５に入力された信号は、高周波増幅され、所定の中間周波数に変換され復調されて制御部１１に供給され、制御部１１で所定の信号処理がなされる。その後、スピーカ１７から音声信号として出力される。
【００１９】
ここで、無線通信機の録音機能がＯＮになっている場合には、制御部１１は、受信部１５で受信した受信信号がアイドル状態からビジー状態になると録音部２１の録音動作を開始して受信部１５で受信した受信信号を録音部２１に録音するとともに、計測部１９の録音時間計測動作又は録音データ量計測動作を開始し、該計測した録音時間又は録音データ量が所定の第１の値に達したとき、あるいは、受信部１５で受信した受信信号がビジー状態からアイドル状態になったときに、録音部２１の録音動作を停止する。
また、制御部１１は、録音部２１の録音動作を停止した後、録音部２１の録音時間又は録音データ量が所定の第２の値よりも小さい場合に、録音部２１に録音した録音内容を破棄する。
【００２０】
次に、本実施形態に係る無線通信機の録音動作について、図２を用いて説明する。図２は、本発明の実施形態に係る無線通信機の録音動作を示す図である。
まず、無線通信機の制御部１１は、受信部１５で受信した受信信号がビジー状態か否か、つまり、他の無線通信機との間の無線区間がビジー状態かアイドル状態かを判断し（ステップＳ１）、ビジー状態になるまで待機する（ステップＳ１でＮｏ）。
【００２１】
ビジー状態になると（ステップＳ１でＹｅｓ）、録音部２１又は記憶部１２内のＲＡＭ上の音声データファイルを開き（ステップＳ２）、該音声データファイルに、相手の無線通信機からの通話音声データの書き込みを開始、つまり録音を開始する（ステップＳ３）。
【００２２】
録音中において、他の無線通信機との間の無線区間がビジー状態かアイドル状態かを判断し（ステップＳ４）、アイドル状態を検出した場合は（ステップＳ４でＮｏ）、ステップＳ６へ移行する。ビジー状態を検出した場合は（ステップＳ４でＹｅｓ）、録音したデータサイズが所定の第１の値（Ｍａｘ値）に達したか否かを判断し（ステップＳ５）、所定の第１の値に達していない場合は（ステップＳ５でＮｏ）、ステップＳ３へ戻り録音を続行する。この所定の第１の値は、録音最大時間であり、例えば３０秒間である。
【００２３】
録音したデータサイズが所定の第１の値に達した場合は（ステップＳ５でＹｅｓ）、ステップＳ６へ移行し、録音を停止して音声データファイルを閉じる。
録音を停止した後に、録音したデータサイズが所定の第２の値（Ｍｉｎ値）よりも小さいか否かを判断し（ステップＳ７）、所定の第２の値よりも小さい場合は（ステップＳ７でＮｏ）、録音した音声データファイルを削除して（ステップＳ９）、処理を終了する。録音したデータサイズが所定の第２の値以上であった場合は（ステップＳ７でＹｅｓ）、録音した音声データファイルを記憶部１２内のフラッシュＲＯＭに保存し（ステップＳ８）、処理を終了する。この所定の第２の値は、例えば３秒間である。
【００２４】
以上説明した実施形態によれば、単信通信状態の無線通信機において、適切なタイミングで録音することができ、また、無駄な録音データを保存することがないのでメモリを有効的に利用できる。
【００２５】
なお、本発明は、前記実施例に限定されるものではなく、その要旨を逸脱しない範囲で種々に変更が可能であることはいうまでもない。
また、本発明は、本発明に係る処理を実行する装置としてだけでなく、方法として、或いは、このような方法を実現するためのプログラムや当該プログラムを記録する記録媒体などとして把握することができる。
【００２６】
本明細書の記載事項には、少なくとも次の発明が含まれる。
第１の発明は、
呼出側の無線通信機からの通話内容を含む信号を受信する受信部と、
前記受信部で受信した通話内容を録音する録音部と、
前記録音部における録音時間又は録音データ量を計測する計測部と、
前記受信部、前記録音部、前記計測部を制御する制御部とを備えた無線通信機であって、
前記制御部は、呼出側の無線通信機からの信号を一方的に受信する単信通信状態において、前記受信部で受信した受信信号がアイドル状態からビジー状態になると前記録音部の録音動作を開始して前記受信部で受信した受信信号を前記録音部に録音するとともに、前記計測部の録音時間計測動作又は録音データ量計測動作を開始し、該計測した録音時間又は録音データ量が所定の第１の値に達したとき、あるいは、前記受信部で受信した受信信号がビジー状態からアイドル状態になったときに、前記録音部の録音動作を停止することを特徴とする無線通信機。
【００２７】
第２の発明は、第１の発明の無線通信機であって、
前記制御部は、前記録音部の録音動作を停止した後、前記録音部の録音時間又は録音データ量が所定の第２の値よりも小さい場合に、前記録音部に録音した録音内容を破棄することを特徴とする無線通信機。
【符号の説明】
【００２８】
１１・・制御部、１２・・記憶部、１３・・アンテナ、１４・・切換スイッチ、１５・・受信部、１６・・送信部、１７・・スピーカ、１８・・操作部、５９・・計測部、２０・・マイク、２１・・録音部。
【図１】
2012205152.tif 000003
【図２】
2012205152.tif 000004